(57)【要約】      （修正有）【課題】仕切領域により画定されるすべての空間に底板を有する底付仕切体を１枚のシートから形成できる底付仕切体用シートを提供する。【解決手段】一枚の略方形のシート１からなり、前後両側に対称に配設される略方形の一対の仕切形成部１０，２０と、その一対の仕切形成部間に連続する左右方向の帯状の底形成部３０とを備え、上記一対の仕切形成部がそれぞれ左右方向に５以上の奇数の仕切領域１１，１２，１３，１４，１５に区分される。左右側辺側から数えて奇数位置の仕切領域の左右方向幅がすべて略同一、かつ上記底形成部の前後方向幅と左右側辺側から数えて偶数位置の仕切領域の左右方向幅とがすべて略同一とされ、底形成部が、一対の仕切形成部の対向する仕切領域間にそれぞれ位置する奇数の底領域に区分され、複数の底領域のうち左右側辺側から数えて偶数位置の底領域が、隣接する左右の底領域から突出する一対の舌片を構成するよう打ち抜かれていることを特徴とする。【選択図】図１
0003188603.tif 000002
【実用新案登録請求の範囲】
【請求項１】
一枚の略方形のシートからなり、前後両側に対称に配設される略方形の一対の仕切形成部と、その一対の仕切形成部間に連続する左右方向の帯状の底形成部とを備え、
上記一対の仕切形成部がそれぞれ左右方向に５以上の奇数の仕切領域に区分され、
左右側辺側から数えて奇数位置の仕切領域の左右方向幅がすべて略同一、かつ上記底形成部の前後方向幅と左右側辺側から数えて偶数位置の上記仕切領域の左右方向幅とがすべて略同一とされ、
上記底形成部が、上記一対の仕切形成部の対向する仕切領域間にそれぞれ位置する奇数の底領域に区分され、
上記複数の底領域のうち左右側辺側から数えて偶数位置の底領域が、隣接する左右の底領域から突出する一対の舌片を構成するよう打ち抜かれている底付仕切体用シート。
【請求項２】
上記複数の仕切領域間にそれぞれ弱化線が形成され、
仕切体組立時に互いに接近する上記弱化線が、表裏方向に貫通するスリットと、このスリットを形成していない残存部とからそれぞれ構成され、
上記残存部が、仕切体組立時に接近する他の弱化線のスリットに係入する位置に形成されている請求項１に記載の底付仕切体用シート。
【請求項３】
上記複数の仕切領域間にそれぞれ弱化線が形成され、
上記一対の仕切形成部が、仕切体組立時に互いに接近する上記弱化線の近傍に、それぞれ係合可能な係合突起又は係合孔を有する請求項１に記載の底付仕切体用シート。
【請求項４】
上記係合孔を有する仕切形成部が、上記係合孔に近接し、かつ左右側辺側から数えて偶数位置の仕切領域に、上記係合孔の前後方向両端から伸びる一対の切込みにより形成されたフラップ部を有する請求項３に記載の底付仕切体用シート。
【請求項５】
請求項１から請求項４のいずれか１項に記載の底付仕切体用シートと、
上記底付仕切体用シートを組み立てた底付仕切体を収容可能な段ボール箱に組み立て可能な段ボール箱用シートとを備える包装資材。
【考案の詳細な説明】
【技術分野】
【０００１】
本考案は、底付仕切体用シート及び包装資材に関する。
【背景技術】
【０００２】
瓶等の物品を複数収容する段ボール箱には、物品同士が直接接触しないように、段ボールシートからなる仕切体が挿入されることが多い。このような仕切体としては、前後方向の仕切領域と左右方向の仕切領域とに互いに咬合するスリットを形成して井桁状に組み合わせる組仕切が広く用いられている。
【０００３】
しかしながら、このように複数のシートを組み合わせる組仕切は、組み立てに手間がかかるという問題がある。また、このような組仕切と段ボール箱用シートとからなる包装資材は、組仕切に複数のシートを使用するため部品点数が多く、その取り扱いが煩雑であるという問題もある。
【０００４】
そこで、１枚の段ボールシートからなり、それぞれ左右方向に５つの面が連接された一対の仕切領域の両端及び中央の面をそれぞれ底板で接続した構成を有し、各仕切領域の５つの面を山−谷−谷−山の順に折り曲げて、一方の仕切領域の中央の面を他方の仕切領域の両端の面の間に配置する仕切体用段ボールシートも提案されている（特開２０１０−３０６６８号公報参照）。
【０００５】
上記仕切体用段ボールシートでは、仕切領域により区分される６つの空間のうち、３つの空間にのみ底板が形成され、残る３つの空間には底板が形成されない。このため、収容した物品の高さが一定でなく、物品の底部に加わる衝撃を緩和する能力にも違いがある。
【先行技術文献】
【特許文献】
【０００６】
【特許文献１】特開２０１０−３０６６８号公報
【考案の概要】
【考案が解決しようとする課題】
【０００７】
上記不都合に鑑みて、本考案は、空間を前後左右に区分する複数の仕切領域とこれらの仕切領域により画定されるすべての空間に配置される底板とを有する底付仕切体を１枚のシートから形成できる底付仕切体用シート、及びそのような底付仕切体用シートを備える包装資材を提供することを課題とする。
【課題を解決するための手段】
【０００８】
上記課題を解決するためになされた考案は、一枚の略方形のシートからなり、前後両側に対称に配設される略方形の一対の仕切形成部と、その一対の仕切形成部間に連続する左右方向の帯状の底形成部とを備え、上記一対の仕切形成部がそれぞれ左右方向に５以上の奇数の仕切領域に区分され、左右側辺側から数えて奇数位置の仕切領域の左右方向幅がすべて略同一、かつ上記底形成部の前後方向幅と左右側辺側から数えて偶数位置の上記仕切領域の左右方向幅とがすべて略同一とされ、上記底形成部が、上記一対の仕切形成部の対向する仕切領域間にそれぞれ位置する奇数の底領域に区分され、上記複数の底領域のうち左右側辺側から数えて偶数位置の底領域が、隣接する左右の底領域から突出する一対の舌片を構成するよう打ち抜かれている底付仕切体用シートである。
【０００９】
当該底付仕切体用シートは、このように奇数位置の底領域から偶数位置の底領域に突出する複数の舌片を有することにより、組み立てた状態において、一対の仕切形成部によって画定されるすべての空間に底板を形成する。従って、当該底付仕切体用シートを組み立てた底付仕切体が画定するすべての空間内に物品を同じ高さに収容しやすいうえ、収容した物品の底部に加わる衝撃を略等しく緩和できる。
【００１０】
上記複数の仕切領域間にそれぞれ弱化線が形成され、仕切体組立時に互いに接近する上記弱化線が、表裏方向に貫通するスリットと、このスリットを形成していない残存部とからそれぞれ構成され、上記残存部が、仕切体組立時に接近する他の弱化線のスリットに係入する位置に形成されているとよい。このように一対の仕切形成部の組み立て時に対をなす弱化線に残存部が重ならないようにスリットを形成することによって、組立時に一方の弱化線の残存部が他方弱化線のスリット内に係入する。これにより、組立時に隣接し合う奇数位置の仕切領域が平面視で直線になるよう同一平面上に並ぶことができる。
【００１１】
上記複数の仕切領域間にそれぞれ弱化線が形成され、上記一対の仕切形成部が、仕切体組立時に互いに接近する上記弱化線の近傍に、それぞれ係合可能な係合突起又は係合孔を有するとよい。この構成によれば、当該底付仕切体用シートは、底付仕切体に組み立てた状態で、一方の仕切形成部の偶数位置の仕切領域から突出する係合突起が他方の仕切形成部に設けた係合孔に係合するので、仕切形成部の仕切領域間の折り曲げ角度を保持しやすい。これにより、当該底付仕切体用シートは、底付仕切体に組み立てた状態を自己保持できる。
【００１２】
上記係合孔を有する仕切形成部が、上記係合孔に近接し、かつ左右側辺側から数えて偶数位置の仕切領域に、上記係合孔の前後方向両端から伸びる一対の切込みにより形成されたフラップ部を有するとよい。このように偶数位置の仕切領域にフラップ部を設けることにより、組立時に係合突起が挿入される係合孔を偶数位置の仕切領域の厚みと重なるように広げて、一対の仕切形成部の対向する偶数位置の仕切領域同士をそれぞれ同一平面上に並べられる。
【００１３】
また、別の本考案は、上記底付仕切体用シートと、上記底付仕切体用シートを組み立てた底付仕切体を収容可能な段ボール箱に組み立て可能な段ボール箱用シートとを備える包装資材である。当該包装資材は、組立時に画定されるすべての空間に底板を形成する当該底付仕切体用シートを備えることにより、物品を同じ高さに収容しやすく、収容した物品の底部を略等しく保護できる。
【考案の効果】
【００１４】
本考案の底付仕切体用シートは、組み立てた状態において、一対の仕切形成部によって画定されるすべての空間に底板を形成するので、画定されるすべての空間内に物品を同じ高さに収容しやすいうえ、収容した物品の底部に加わる衝撃を略等しく緩和できる。
【図面の簡単な説明】
【００１５】
【図１】本考案の一実施形態の底付仕切体用シートを示す平面図である。
【図２】図１の底付仕切体用シートの組み立て工程を示す斜視図である。
【図３】図１の底付仕切体用シートの図２の次の組み立て工程を示す斜視図である。
【図４】図１の底付仕切体用シートを組み立てた底付仕切体の斜視図である。
【図５】図４の底付仕切体の平面図である。
【図６】図５の底付仕切体のＡ−Ａ線での断面図である。
【図７】図１の底付仕切体用シートを組み立てた底付仕切体を備える包装資材を組み立てた状態を示す斜視図である。
【考案を実施するための形態】
【００１６】
以下、適宜図面を参照しつつ、本考案の実施の形態を詳説する。
【００１７】
［底付仕切体用シート］
図１の底付仕切体用シート１は、１枚の略方形の段ボールシートからなり、前後両側に対称に配置される一対の第１仕切形成部１０及び第２仕切形成部２０と、これら一対の第１仕切形成部１０及び第２仕切形成部２０間に連続する左右方向帯状の底形成部３０とを備える。第１仕切形成部１０及び第２仕切形成部２０と底形成部３０との間にはそれぞれ段ボールシートに型押しして折り曲げやすくした罫線が左右方向に直進するよう設けられている。この底付仕切体用シート１において、段ボールシートは、中芯の稜線が図１において左右方向に伸びるよう配置されている。また、図において、太い実線は段ボールシートを切断したエッジを示し、細い実線は段ボールシートに型押しして折り曲げやすくした罫線を示す。なお、本願において「前」、「後」、「左」、「右」等の位置関係を示す用語は、当該底付仕切体用シート１の各部を特定するために便宜上用いられるものであって、底付仕切体の使用状態における位置関係を示すものではない。
【００１８】
＜仕切形成部＞
前側に位置する第１仕切形成部１は、奇数位置の第１仕切領域１１、第２仕切領域１２、第３仕切領域１３、第４仕切領域１４及び第５仕切領域１５がこの順番に左右方向に並んで折り曲げ可能に接続されて構成される。この第１仕切形成部１０は、左右側辺側から数えて奇数位置の仕切領域の左右方向幅がすべて略同一、かつ左右側辺側から数えて偶数位置の仕切領域の左右方向幅がすべて略同一とされている。つまり、第１仕切領域１１、第３仕切領域１３及び第５仕切領域１５は、左右方向の幅が互いに略等しく、第２仕切領域１２及び第４仕切領域１４は、左右方向の幅が互いに略等しい。
【００１９】
この第１仕切形成部１０は、左右方向両側縁の第２仕切形成部２０側の端部（第１仕切領域１１の左側縁及び第５仕切領域１５の右側縁）が、テーパー状に幅が狭くなるよう傾斜している。また、第１仕切領域１１及び第５仕切領域１５は、底形成部３０が隣接する端縁の中央にＶ字状の切り欠き１１ａ及び１５ａが形成されている。また、第１仕切形成部１０は、第２仕切領域１２の底形成部３０側の端部と、第４仕切領域１４の底形成部３０側の端部とが打ち抜かれており、これにより、第２仕切領域１２は、第１仕切領域１１側の側縁が底形成部３０から前側に後退した位置から開始するよう、底形成部３０と接しない傾斜した後側端縁１２ａ（仕切体組み立て状態における側縁）を有する。また、第４仕切領域１４は、第５仕切領域１５側の側縁が底形成部３０から前側に後退した位置から開始するよう、底形成部３０と接しない傾斜した後側端縁１４ａ（仕切体組み立て状態における側縁）を有する。
【００２０】
また、後側に位置する第２仕切形成部２０は、第１仕切領域２１、第２仕切領域２２、第３仕切領域２３、第４仕切領域２４及び第５仕切領域２５がこの順番に左右方向に並んで折り曲げ可能に接続されて構成される。この第２仕切形成部２０も、左右側辺側から数えて奇数位置の仕切領域の左右方向幅がすべて略同一、かつ左右側辺側から数えて偶数位置の仕切領域の左右方向幅がすべて略同一とされている。具体的には、第１仕切領域２１、第２仕切領域２２、第３仕切領域２３、第４仕切領域２４及び第５仕切領域２５は、第１仕切形成部１０の第１仕切領域１１、第２仕切領域１２、第３仕切領域１３、第４仕切領域１４及び第５仕切領域１５と左右方向の幅及び前後方向の長さがそれぞれ等しい。
【００２１】
また、この第２仕切形成部２０も、左右方向両側縁の第１仕切形成部１０側の端部（第１仕切領域２１の左側縁及び第５仕切領域２５の右縁）が、テーパー状に幅が狭くなるよう傾斜している。さらに、第２仕切形成部２０も、第２仕切領域２２の底形成部３０側の端部と、第４仕切領域２４の底形成部３０側の端部とが打ち抜かれており、これにより、第２仕切領域２２は、第１仕切領域２１側の側縁が底形成部３０から後側に後退した位置から開始するよう、底形成部３０と接しない傾斜した前側端縁２２ａ（仕切体組み立て状態における側縁）を有する。また、第４仕切領域２４は、第５仕切領域２５側の側縁が底形成部３０から後側に後退した位置から開始するよう、底形成部３０と接しない傾斜した前側端縁２４ａ（仕切体組み立て状態における側縁）を有する。
【００２２】
この第１仕切形成部１０及び第２仕切形成部２０には、各仕切領域間にそれぞれ弱化線が形成されている。具体的には、第１仕切形成部１０は、第１仕切領域１１、第２仕切領域１２、第３仕切領域１３、第４仕切領域１４及び第５仕切領域１５の各境界に、弱化線１６，１７，１８，１９が形成されている。同様に、第２仕切形成部２０は、第１仕切領域２１、第２仕切領域２２、第３仕切領域２３、第４仕切領域２４及び第５仕切領域２５の各境界に、弱化線２６，２７，２８，２９が形成されている。
【００２３】
第１仕切形成部１０の最左端の弱化線１６は山折りの弱化線であり、左右方向に続く２つの弱化線１７，１８は谷折りの弱化線であり、左右方向最後の弱化線１９は山折りの弱化線である。一方、第２仕切形成部２０の最左端の弱化線２６は谷折りの弱化線であり、左右方向に続く２つの弱化線２７，２８は山折りの弱化線であり、左右方向最後の弱化線２９は谷折りの弱化線である。ここで、「山折り」とは図１において隣接する領域の一方を他方の領域に対して紙面裏側に向かって折り曲げることを意味し、「谷折り」とは、図１において隣接する領域の一方を他方の領域に対して紙面表側に向かって折り曲げることを意味する。
【００２４】
上述のように第１仕切形成部１０及び第２仕切形成部２０が形成されていることで、当該底付仕切体用シート１は、後述するように、仕切体の形態に組み立てることができ、仕切体組立時において、第１仕切形成部１０の山折りの弱化線１６，１９と第２仕切形成部２０の谷折りの弱化線２７，２８とが互いに接近して、直立した仕切領域により前後に２列、左右に３列の空間を形成するよう配列できる。
【００２５】
これらの弱化線１６，１７，１８，１９及び２６，２７，２８，２９は、それぞれ部分的に表示方向に貫通するスリット１６ａ，１７ａ，１８ａ，１９ａ及び２６ａ，２７ａ，２８ａ，２９ａと、これらのスリットを形成していない残存部とからなる。これらの残存部には、罫線１６ｂ，１７ｂ，１８ｂ，１９ｂ及び２６ｂ，２７ｂ，２８ｂ，２９ｂが形成されている。
【００２６】
上述のように仕切体組立時に近接する山折りの弱化線１６，１９及び弱化線２７，２８の残存部（罫線１６ｂ，１９ｂ及び２７ｂ，２８ｂ）は、他方の弱化線のスリット２７ａ，２８ａ及び１６ａ，１９ａに係入する位置に形成されている。つまり、スリット１６ａとスリット２７ａとは、残存部である罫線１６ｂと罫線２７ｂとが底形成部３０からの距離において互いに重ならないように形成され、スリット１９ａとスリット２８ａとは、残存部である罫線１９ｂと罫線２８ｂとが底形成部３０からの距離において互いに重ならないように形成されている。
【００２７】
また、第１仕切形成部１０は、弱化線１６及び１９の近傍に係合突起１２ｂ及び１４ｂを有する。より詳しくは、係合突起１２ｂは、第２仕切領域１２から第１仕切領域１１との間の罫線よりも第１仕切領域１１側に突出するよう形成され、係合突起１４ｂは、第４仕切領域１４から第５仕切領域１５との間の罫線よりも第５仕切領域１５側に突出するよう形成されている。
【００２８】
一方、第２仕切形成部２０は、弱化線２７及び２８の近傍に、２つの係合孔２３ａ，２３ｂが形成されている。より詳しくは、これらの係合孔２３ａ，２３ｂは、第２仕切形成部２０の第３仕切領域２３のスリット２７ａ及びスリット２８ａに連接するように形成されている。これらの係合孔２３ａ，２３ｂの底形成部３０からの前後方向の距離は、係合突起１２ｂ，１４ｂの底形成部３０からの前後方向の距離とそれぞれ略等しく、係合孔２３ａ，２３ｂの前後方向の長さは、係合孔２３ａ，２３ｂを挿入できるよう係合孔２３ａ，２３ｂの前後方向の長さよりも僅かに大きい。
【００２９】
第２仕切形成部２０の第２仕切領域２２及び第３仕切領域２３には、係合孔２３ａの前後方向両端からスリット２７ａ及び２８ａを介して左右方向に伸びるよう形成されたそれぞれ一対の切込み２２ｂ，２２ｃ及び２４ｂ，２４と、これらの対をなす切込み２２ｂ，２２ｃ間及び２４ｂ，２４間を接続する罫線２２ｄ及び２４ｄとが形成されることによって、罫線２２ｄ，２４ｄを中心に搖動可能なフラップ部２２ｅ及び２４ｅが画定されている。
【００３０】
＜底形成部＞
底形成部３０は、一対の仕切形成部の対向する仕切領域間にそれぞれ位置する奇数の底領域に区分され、これら複数の底領域のうち左右側辺側から数えて偶数位置の底領域が打ち抜かれている。これにより、底形成部３０は、第１仕切形成部１０の第１仕切領域２１の底縁と第２仕切形成部２０の第１仕切領域２１の底縁とを接続する第１底板３１と、第１仕切形成部１０の第３仕切領域１３の底縁と第２仕切形成部２０の第３仕切領域２３の底縁とを接続する第２底板３２と、及び第１仕切形成部１０の第５仕切領域１５の底縁と第２仕切形成部２０の第５仕切領域２５の底縁とを接続する第３底板３３とに分離されている。
【００３１】
また、端から２番目及び４番目位置の底領域は、隣接する左右の底領域から突出する一対の舌片を残すよう打ち抜かれている。
【００３２】
具体的には、左から２番目の底領域の内抜きにより、左端の底領域から罫線１６ｂ，２６ｂよりも第２底板３２側に突出し、第１仕切形成部１０側の側縁が傾斜し、かつ左右方向の長さが第３仕切領域１３，２３の左右方向の長さと略等しい略台形状の左内舌片３１ａと、左から３番目の底領域から罫線１７ｂ，２７ｂよりも第１底板３１側に突出し、第２仕切形成部２０側の側縁が傾斜した略直角三角形状の左外舌片３２ａとが形成されている。
【００３３】
また、左から４番目の底領域の内抜きにより、３番目の底領域から罫線１８ｂ，２８ｂよりも第３底板３３側に突出し、第２仕切形成部２０側の側縁が傾斜した略直角三角形状の右外舌片３２ｂと、左から５番目の底領域から罫線２９ｂ，２９ｂよりも第２底板３２側に突出し、第１仕切形成部１０側の側縁が傾斜し、左右方向の長さが第３仕切領域１３，２３の左右方向の長さと略等しい略台形状の右内舌片３３ａとが形成されている。
【００３４】
これにより、第１底板３１は、上記左内舌片３１ａと、上述の第１仕切領域１１の切り欠き１１ａにより画定され、第１仕切形成部１０との間の左右方向の罫線よりも第１仕切領域１１側に突出する三角形状の左前舌片３１ｂとを有する。また、第２底板３２は、上記左外舌片３２ａと上記右外舌片３２ｂとを有する。そして、第３底板３３は、上記右内舌片３３ａと、上述の第５仕切領域１５の切り欠き１５ａにより画定され、第１仕切形成部１０との間の左右方向の罫線よりも第５仕切領域１５側に突出する三角形状の右前舌片３３ｂとを有する。
【００３５】
［底付仕切体用シートの組立］
当該底付仕切体用シート１を底付仕切体の形態に組み立てる方法を説明する。
【００３６】
先ず、図２に示すように、第１仕切形成部１０及び第２仕切形成部２０を第１底板３１、第２底板３２及び第３底板３３に対して谷折りして垂直に立ち上げる。
【００３７】
続いて、図３に示すように、弱化線１７，１８を谷折りし、弱化線２７，２８を山折りすることにより、第３仕切領域１３，２３に対して第２仕切領域１２，２２及び第４仕切領域１４，２４を後側に折り曲げる。これらの第２仕切領域１２，２２及び第４仕切領域１４，２４は、第１仕切領域１１，２１及び第５仕切領域１５，２５を介して第１底板３１及び第３底板３３により接続されている。これにより、第１底板３１、一対の第２仕切領域１２，２２及び第２底板３２、並びに第２底板３２、一対の第４仕切領域１４，２４及び第３底板３３が、それぞれ平行リンクを形成する。このため、第１仕切領域１１，２１及び第５仕切領域１５，２５は、常に第３仕切領域１３，２３と平行な状態を維持した状態で移動する。つまり、弱化線１７，１８の谷折り及び弱化線２７，２８の山折りによって、弱化線１６，１９の山折り及び弱化線２６，２９の谷折りが誘導される。
【００３８】
各仕切領域を互いに略９０°折り曲げると、第１仕切形成部１０の山折りの弱化線１６，１９に、第２仕切形成部２０の山折りの弱化線２７，２８が近接した状態となり、係合突起１２ｂ，１４ｂがフラップ部２２ｅ，２４ｅの外側に当接する。この状態から、第１仕切形成部１０を前側に、第２仕切形成部２０を後側に僅かに傾斜させることで、係合突起１２ｂ及び係合突起１４ｂを係合孔２３ａ及び係合孔２３ｂに正対させられるようになる。そして、第１仕切形成部１０及び第２仕切形成部２０再び直立させることで、図４に示すように、係合突起１２ｂ及び係合突起１４ｂを係合孔２３ａ及び係合孔２３ｂに挿入することで、前後に２列、左右に３列の空間を形成する底付仕切体の形状に組み立て可能である。
【００３９】
［利点］
図５に示すように、当該底付仕切体用シート１を組み立てた底付仕切体は、第１仕切形成部１０及び第２仕切形成部２０により区分される６つの内部空間を画定する。当該底付仕切体用シート１を組み立てた底付仕切体において、第１仕切領域１１，２１間の空間、第３仕切領域１３，２３間の空間及び第５仕切領域１５，２５間の空間には、第１底板３１、第２底板３２及び第３底板３３がそれぞれ底板を形成する。さらに、第１仕切形成部１０の第１仕切領域１１と第２仕切領域１２とによって画定される空間には、第１底板３１から突出する左前舌片３１ｂと第２底板３２から突出する左外舌片３２ａとが配置されることによって、この空間に収容される物品を支持するのに十分な底板が形成される。また、第２仕切形成部２０の第２仕切領域２２、第３仕切領域２３及び第４仕切領域２４によって画定される空間には、第１底板３１から突出する左内舌片３１ａと第３底板３３から突出する右内舌片３３ａとが付き合わされることによって底板が形成される。また、第１仕切形成部１０の第５仕切領域１５と第４仕切領域１４とによって画定される空間には、第３底板３３から突出する右前舌片３３ｂと第２底板３２から突出する右外舌片３２ｂとが配置されることによって底板が形成される。つまり、当該底付仕切体用シート１を組み立てた底付仕切体は、画定される６つの内部空間の全てに底板を有する。これにより、収容した物品の高さが統一され、すべての物品の底部を等しく保護できる。
【００４０】
また、当該底付仕切体用シート１を組み立てた底付仕切体において、図６の断面図に示すように、第１仕切形成部１０のスリット１６ａにより残された弱化線１６の２箇所の残存部（罫線１６ｂ）は、第２仕切形成部２０の弱化線２７の２つのスリット２７ａの中に係入する。逆に、第２仕切形成部２０の弱化線２７の３つの残存部（罫線２７ｂ）は、第１仕切形成部１０の弱化線１６の上下方向両側及びスリット１６ａに係入する。これにより、第１仕切形成部１０の弱化線１６と第２仕切形成部２０の弱化線２７とが互いに干渉せず、第１仕切形成部１０の第１仕切領域１１と第２仕切形成部２０の第３仕切領域２３とが、図５に示すように同一平面上に配置可能となっている。図示しないが同様に、第１仕切形成部１０の弱化線１９と第２仕切形成部２０の弱化線２８とも、互いに重ならない範囲に残存部（罫線１９ｂ，２８ｂ）を残すようリット１９ａ，２８ａを形成したことにより、罫線１９ｂ，２８がスリット１９ａ，２８ａに係入されるので、干渉することなく互いに嵌合し合う。これにより、第１仕切形成部１０の第５仕切領域１５と第２仕切形成部２０の第３仕切領域２３とも、図５に示すように同一平面上に配置可能となっている。
【００４１】
当該底付仕切体用シート１を底付仕切体に組み立てたとき、第１仕切形成部１０がその弾性により平板状に復元しようとしても、係合突起１２ｂ，１４ｂが係合孔２３ａ，２３ｂに挿入されているので、第１仕切形成部１０の第２仕切領域１２及び第４仕切領域１４が第３仕切領域１３に対して直角に折り曲げられた状態に保持される。また、これら第１仕切形成部１０の第２仕切領域１２及び第４仕切領域１４には、１仕切領域１１及び第５仕切領域１５、さらには第１底板３１及び第３底板３３を介して第２仕切形成部２０の第１仕切領域２１及び第５仕切領域２５が接続されている。これにより、第２仕切形成部２０の第１仕切領域２１及び第５仕切領域２５の位置が定められるので、第２仕切形成部２０の第２仕切領域２２及び第４仕切領域２４も、第３仕切領域２３に対して直角に折り曲げられた状態に保持される。従って、当該底付仕切体用シート１を組み立て底付仕切体は、手を離してもその組み立てた状態を自己保持する。この結果、当該底付仕切体用シートを使用する包装作業の作業性を向上させられる。
【００４２】
また、当該底付仕切体用シート１において、第２仕切形成部２０の第２仕切領域２２及び第４仕切領域２４には、第１仕切形成部１０の係合突起１２ｂ及び係合突起１４ｂが当接する位置にフラップ部２２ｅ及びフラップ部２４ｅが形成されている。これにより、当該底付仕切体用シート１を組み立てたとき、係合突起１２ｂ，１４ｂ及びフラップ部２２ｅ，２４ｅが互いを排斥し合うよう変形させることで、第１仕切形成部１０の第２仕切領域１２及び第４仕切領域１４と、第２仕切形成部２０の第２仕切領域２２及び第４仕切領域２４とが、図５に示すように、それぞれ略同一平面上に配置されて平面視で一直線上に並ぶ。
【００４３】
［包装資材］
図７に示す包装体は、図１の底付仕切体用シート１と、段ボール箱用シート２とを備える包装資材を組み立てたものである。段ボール箱用シート２は、図示するようなＡ式（ミカン箱タイプ）の段ボール箱に組み立て可能なものであり、当該底付仕切体用シート１を組み立てた底付仕切体は、段ボール箱用シート２を組み立てた段ボール箱の中に収容される。
【００４４】
段ボール箱用シート２は、一対の方形の端壁４１と一対の方形の側壁４２とを有する四角筒状部４３と、端壁４１の上縁及び下縁にそれぞれ連接された二対の内フラップ４４と、側壁４２の上縁及び下縁にそれぞれ連接された二対の外フラップ４５とからなる。四角筒状部４３の上端開口及び下端開口は、内フラップ４４を折り込んで外フラップ４５により封止される（図７では下端開口のみ封止されている）。
【００４５】
段ボール箱用シート２において、四角筒状部４３（端壁４１及び側壁４２）の高さは、底付仕切体用シート１の第１仕切形成部１０及び第２仕切形成部２０の前後方向の長さと略等しい。端壁４１の横方向の幅は、底付仕切体用シート１の第１仕切形成部１０の第２仕切領域１２及び第４仕切領域１４の左右方向の長さの合計と略等しい。側壁４２の横方向の幅は、底付仕切体用シート１の第１仕切形成部１０の第１仕切領域１１、第３仕切領域１３及び第５仕切領域１５の左右方向の長さの合計と略等しい。
【００４６】
［利点］
当該包装資材は、１枚の当該底付仕切体用シート１及び１枚の段ボール箱用シート２のみによって構成されるため、その管理が容易である。
【００４７】
また、当該包装資材は、上述のように当該底付仕切体用シート１の第１仕切形成部１０及び第２仕切形成部２０の両側縁の下端がテーパー状になっているため、段ボール箱用シート２を組み立てた段ボール箱に容易に挿入できる。
【００４８】
［その他の実施形態］
今回開示された実施の形態はすべての点で例示であって制限的なものではないと考えられるべきである。本考案の範囲は、上記実施形態の構成に限定されるものではなく、実用新案登録請求の範囲によって示され、実用新案登録請求の範囲と均等の意味及び範囲内での全ての変更が含まれることが意図される。
【００４９】
当該底付仕切体用シートにおいて、第１仕切形成部及び第２仕切形成部の仕切領域の数は、５つに限定されず、７つ以上の奇数であってもよい。この場合、第１仕切形成部及び第２仕切形成部の仕切領域間の弱化線は、両端を除いて山折りと谷折りとが２つずつ交互に配置される。
【００５０】
また、当該底付仕切体用シートの各部の形状は、上記実施形態の形状に限定されない。例えば、前側左スリット、前側右スリット、後側左スリット及び後側右スリットの数及び配置は、任意に変更できる。
【００５１】
また、上記実施形態では、第１仕切形成部が係合突起及び係合突起を有し、第２仕切形成部が係合孔及び係合孔を有するが、係合突起及び係合突起の一方又は両方を第２仕切形成部に設け、これに対応する係合孔及び係合孔の一方又は両方を第１仕切形成部に設けてもよい。当然ながら、上記実施形態の底付仕切体用シートにおいて係合突起を第２仕切形成部に、係合孔を第１仕切形成部に設ける場合、係合突起は、第２仕切形成部の第２仕切領域及び第４仕切領域からそれぞれ第３仕切領域側に突出するよう形成され、係合孔は、第１仕切形成部の第１仕切領域及び第５仕切領域の第３仕切領域近傍に設けられる。
【００５２】
また、上記実施形態において、当該底付仕切体用シートは左右対称に形成されているが、係合突起やスリットの前後方向の位置を左右非対称としてもよい。
【産業上の利用可能性】
【００５３】
上述のように、本考案の底付仕切体用シート及び包装資材は、瓶等の複数の物品を互いに接触しないように収容する包装体に好適に利用できる。
【符号の説明】
【００５４】
１  底付仕切体用シート
２  段ボール箱用シート
１０  第１仕切形成部
１１  第１仕切領域
１２  第２仕切領域
１３  第３仕切領域
１４  第４仕切領域
１５  第５仕切領域
１２ａ，１４ａ  後側端縁
１２ｂ，１４ｂ  係合突起
１６，１７，１８，１９  弱化線
１６ａ，１７ａ，１８ａ，１９ａ  スリット
１６ｂ，１７ｂ，１８ｂ，１９ｂ  罫線（残存部）
２０  第２仕切形成部
２１  第１仕切領域
２２  第２仕切領域
２３  第３仕切領域
２４  第４仕切領域
２５  第５仕切領域
２２ａ，２４ａ  前側端縁
２２ｂ，２２ｃ，２４ｂ，２４ｃ  切込み
２２ｄ，２４ｄ  罫線
２２ｅ，２４ｅ  フラップ部
２３ａ，２３ｂ  係合孔
２６，２７，２８，２９  弱化線
２６ａ，２７ａ，２８ａ，２９ａ  スリット
２６ｂ，２７ｂ，２８ｂ，２９ｂ  罫線（残存部）
３０  第１底領域
３１  第１底板
３１ａ  左内舌片
３１ｂ  左前舌片
３２  第２底板
３２ａ  左外舌片
３２ｂ  右外舌片
３３  第３底板
３３ａ  右内舌片
３３ｂ  左前舌片
４１  端壁
４２  側面
４３  四角筒状部
４４  内フラップ
４５  外フラップ
【図１】
0003188603.tif 000003
【図２】
0003188603.tif 000004
【図３】
0003188603.tif 000005
【図４】
0003188603.tif 000006
【図５】
0003188603.tif 000007
【図６】
0003188603.tif 000008
【図７】
0003188603.tif 000009